(57)【要約】      （修正有）【課題】表示した画像の白トビや黒つぶれとヒストグラム表示が重なった場合でも、白トビや黒つぶれの存在を容易に認識できる画像表示装置を提供する。【解決手段】画像表示装置は画像表示手段と、画像データから表現される画像の表現要素についての値を取得し、取得した表現要素の値に基づいてヒストグラムを生成するヒストグラム生成手段と、表現要素の値が第１所定値以下の画素と第２所定値以上の画素の部分を不良領域として特定し、ヒストグラムにより不良領域が隠れるかどうかを判断する判断手段と、判断手段でヒストグラムにより不良領域が隠れないと判断した場合には、ヒストグラムを第１表示態様で表示し、表示画面に表示された画像に重ねて表示する。判断手段でヒストグラムにより不良領域が隠れると判断した場合には、ヒストグラムを第１表示態様と異なる第２表示態様で表示画面に表示された画像に重ねて表示する。【選択図】図１
2007240860.tif 000002
【特許請求の範囲】
【請求項１】
画像データに基づいて表示画面に画像を表示する画像表示手段と、
前記画像データから表現される画像の表現要素についての値を取得し、この取得した表現要素の値に基づいてヒストグラムを生成する、ヒストグラム生成手段と、
前記表現要素の値が第１所定値以下の画素と第２所定値以上の画素の部分を不良領域として特定し、前記ヒストグラムにより前記不良領域が隠れるかどうかを判断する、判断手段と、
前記判断手段で前記ヒストグラムにより前記不良領域が隠れないと判断した場合には、前記ヒストグラムを第１表示態様で、前記表示画面に表示された画像に重ねて表示する、第１ヒストグラム表示手段と、
前記判断手段で前記ヒストグラムにより前記不良領域が隠れると判断した場合には、前記ヒストグラムを前記第１表示態様と異なる第２表示態様で、前記表示画面に表示された画像に重ねて表示する、第２ヒストグラム表示手段と、
を備えることを特徴とする画像表示装置。
【請求項２】
前記第２ヒストグラム表示手段は、前記ヒストグラムの色の少なくとも一部を、前記第１ヒストグラム表示手段が表示するヒストグラムの色と異なるようにする、ことを特徴とする請求項１に記載の画像表示装置。
【請求項３】
前記第１ヒストグラム表示手段は、前記ヒストグラムを点滅表示にする、ことを特徴とする請求項１に記載の画像表示装置。
【請求項４】
前記点滅表示において前記ヒストグラムが表示されていない間は、前記画像の前記不良領域が前記表示画面に表示される、ことを特徴とする請求項３に記載の画像表示装置。
【請求項５】
前記判断手段で前記ヒストグラムにより前記不良領域が隠れると判断した場合に、ユーザにより画像をシフトする指示が入力された場合には、前記画像の不良領域と前記ヒストグラムの表示とが重ならないように、前記画像をシフトする、ことを特徴とする請求項１乃至請求項４のいずれかに記載の画像表示装置。
【請求項６】
前記判断手段で前記ヒストグラムにより前記不良領域が隠れると判断した場合には、画像をシフトする指示の入力をユーザに想起させる画像シフト表示を、前記表示画面に表示する、画像シフト表示手段を、さらに備えることを特徴とする請求項５に記載の画像表示装置。
【請求項７】
前記表現要素は輝度である、ことを特徴とする請求項１乃至請求項６のいずれかに記載の画像表示装置。
【請求項８】
前記第１表示態様は通常状態の表示態様であり、前記第２表示態様は警告状態の表示態様である、ことを特徴とする、請求項１乃至請求項７のいずれかに記載の画像表示装置。
【請求項９】
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を備えることを特徴とする画像表示装置の制御方法。
【請求項１０】
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を画像表示装置に実行させるためのプログラム。
【請求項１１】
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を画像表示装置に実行させるためのプログラムが記録された記録媒体。
【発明の詳細な説明】
【技術分野】
【０００１】
本発明は、画像表示装置に関し、特に、画像とともにヒストグラムを表示する画像表示装置に関する。
【背景技術】
【０００２】
フォトビューアなどの携帯型ストレージや、デジタルカメラなどの画像表示装置においては、表示画面に画像を表示する場合、限られた大きさの表示画面を有効に利用しつつ、ユーザが画像を容易に確認できるようにするために、表示画面全体に画像を表示することが多い。
【０００３】
また、このような画像表示装置においては、画像を表示画面に表示する際に、画像データから輝度情報を抽出して、表示した画像の輝度の分布をヒストグラムとして、追加表示するものがある。このヒストグラムの表示をユーザが確認することにより、白トビや黒つぶれといった画像品質を低下させる不良領域が画像にあるか否かを、数値的に見極めることができるようになる。これにより、例えば、ユーザが適正な画質で撮影を行えたかどうかを、容易に確認することができるようになる（例えば、特開平１０−２１３９０号公報参照）。
【０００４】
しかし、表示した画像の白トビや黒つぶれの部分とヒストグラム表示とが重なってしまうこともあり、両者が重なると、ユーザはヒストグラムで白トビや黒つぶれの存在を知ったとしても、画像上のどこにそれがあるのかを確認することができない。また、ヒストグラム表示の見方に慣れていないユーザは、白トビや黒つぶれの存在すら、気づかない恐れもある。
【特許文献１】特開平１０−２１３９０号公報
【発明の開示】
【発明が解決しようとする課題】
【０００５】
そこで本発明は、前記課題に鑑みてなされたものであり、表示した画像の白トビや黒つぶれとヒストグラム表示が重なった場合でも、白トビや黒つぶれの存在をユーザが容易に認識することのできる画像表示装置を提供することを目的とする。
【課題を解決するための手段】
【０００６】
上記課題を解決するため、本発明に係る画像表示装置は、
画像データに基づいて表示画面に画像を表示する画像表示手段と、
前記画像データから表現される画像の表現要素についての値を取得し、この取得した表現要素の値に基づいてヒストグラムを生成する、ヒストグラム生成手段と、
前記表現要素の値が第１所定値以下の画素と第２所定値以上の画素の部分を不良領域として特定し、前記ヒストグラムにより前記不良領域が隠れるかどうかを判断する、判断手段と、
前記判断手段で前記ヒストグラムにより前記不良領域が隠れないと判断した場合には、前記ヒストグラムを第１表示態様で、前記表示画面に表示された画像に重ねて表示する、第１ヒストグラム表示手段と、
前記判断手段で前記ヒストグラムにより前記不良領域が隠れると判断した場合には、前記ヒストグラムを前記第１表示態様と異なる第２表示態様で、前記表示画面に表示された画像に重ねて表示する、第２ヒストグラム表示手段と、
を備えることを特徴とする。
【０００７】
この場合、前記第２ヒストグラム表示手段は、前記ヒストグラムの色の少なくとも一部を、前記第１ヒストグラム表示手段が表示するヒストグラムの色と異なるようにしてもよい。
【０００８】
或いは、前記第１ヒストグラム表示手段は、前記ヒストグラムを点滅表示にするようにしてもよい。
【０００９】
この場合、前記点滅表示において前記ヒストグラムが表示されていない間は、前記画像の前記不良領域が前記表示画面に表示されるようにしてもよい。
【００１０】
また、前記判断手段で前記ヒストグラムにより前記不良領域が隠れると判断した場合に、ユーザにより画像をシフトする指示が入力された場合には、前記画像の不良領域と前記ヒストグラムの表示とが重ならないように、前記画像をシフトするようにしてもよい。
【００１１】
この場合、前記判断手段で前記ヒストグラムにより前記不良領域が隠れると判断した場合には、画像をシフトする指示の入力をユーザに想起させる画像シフト表示を、前記表示画面に表示する、画像シフト表示手段を、さらに備えるようにしてもよい。
【００１２】
また、前記表現要素は輝度であるようにしてもよい。
【００１３】
また、前記第１表示態様は通常状態の表示態様であり、前記第２表示態様は警告状態の表示態様であるようにしてもよい。
【００１４】
画像表示装置の制御方法は、
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を備えることを特徴とする。
【００１５】
本発明に係るプログラムは、
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を画像表示装置に実行させることを特徴とする。
【００１６】
本発明に係る記録媒体は、
画像データに基づいて表示画面に画像を表示するステップと、
前記画像データから表現される画像の表現要素についての値を取得し、この取得した表現要素の値に基づいてヒストグラムを生成するステップと、
前記表現要素の値が第１所定値以下の画素と第２所定値以上の画素の部分を不良領域として特定し、前記ヒストグラムにより前記不良領域が隠れるかどうかを判断するステップと、
前記ヒストグラムにより前記不良領域が隠れないと判断した場合には、前記ヒストグラムを第１表示態様で、前記表示画面に表示された画像に重ねて表示するステップと、
前記判断手段で前記ヒストグラムにより前記不良領域が隠れると判断した場合には、前記ヒストグラムを前記第１表示態様と異なる第２表示態様で、前記表示画面に表示された画像に重ねて表示するステップと、
を画像表示装置に実行させるためのプログラムが記録されたことを特徴とする。
【発明を実施するための最良の形態】
【００１７】
以下、図面を参照して、本発明の実施形態を説明する。なお、以下に説明する実施形態は、本発明の技術的範囲を限定するものではない。
【００１８】
〔第１実施形態〕
図１は、本実施形態に係る画像表示装置１０の内部構成を説明するためのブロック図である。この図１に示すように、本実施形態に係る画像表示装置１０は、ＣＰＵ２０と、ＲＡＭ（Random Access Memory）２２と、ＲＯＭ（Read Only Memory）２４と、ハードディスクドライブ２６と、メモリカードインターフェース２８と、表示画面３０とを備えており、これらは内部バス４０を介して互いに接続されている。表示画面３０は、本実施形態においては、例えば６４０×４８０画素のＬＣＤ（Liquid Crystal Display）により構成されている。また、本実施形態では、この表示画面３０は画像表示装置１０に内蔵されているが、画像表示装置１０に表示画面３０が内蔵されずに、外付けされるように構成してもよい。
【００１９】
また、この画像表示装置１０には、メモリカード５０が適宜、装着される。画像表示装置１０に装着されたメモリカード５０に格納されている画像データは、メモリカードインターフェース２８を介して、この画像表示装置１０が取り込むことが可能であり、また画像表示装置１０が保持する画像データを、メモリカード５０に書き込むことが可能である。具体的には、メモリカード５０に格納されている画像データは、メモリカードインターフェース２８を介して、ＣＰＵ２０が取り込み、ハードディスクドライブ２６に格納される。また、これとは逆に、ハードディスクドライブ２６に格納されている画像データは、ＣＰＵ２０が取り込み、メモリカードインターフェース２８を介してメモリカード５０に書き込まれる。
【００２０】
本実施形態では、この画像表示装置１０は、携帯型のストレージデバイスであるフォトビューアを想定しているが、通常のパーソナルコンピュータやノート型コンピュータにより画像表示装置１０を構成することもできる。
【００２１】
図２は、本実施形態に係る画像表示装置１０を、表示画面３０側から見た平面図である。この図２に示すように、表示画面３０の右側には、ユーザが指で操作する、メニューボタンＢ１０と、ＯＫボタンＢ１２と、キャンセルボタンＢ１４とが設けられている。また、その上にも、ユーザが指で操作する、上側移動ボタンＢ２０と、左側移動ボタンＢ２２と、右側移動ボタンＢ２４と、下側移動ボタンＢ２６とが、設けられている。
【００２２】
メニューボタンＢ１０は、表示画面３０に各種のメニュー画面や画像一覧画面を表示するための操作ボタンである。ＯＫボタンＢ１２は、メニュー画面や画像一覧画面などで各種の設定や画像の選択を行った際に、最終的にその変更内容や選択画像を確定する場合に押下される操作ボタンである。キャンセルボタンＢ１４は、メニュー画面や画像一覧画面などで各種の設定や画像表示を行った際に、最終的にはその変更内容を反映させない場合やその画像表示を抜ける場合に押下される操作ボタンである。上側移動ボタンＢ２０と、左側移動ボタンＢ２２と、右側移動ボタンＢ２４と、下側移動ボタンＢ２６は、それぞれ、メニュー画面や画像一覧画面でカーソルを上側、左側、右側、下側に移動させるための操作ボタンである。
【００２３】
図３は、本実施形態に係る画像表示装置１０が実行する画像表示処理を説明するフローチャートを示す図である。この画像表示処理は、ＲＯＭ２４又はハードディスクドライブ２６に格納されている画像表示プログラムを、ＣＰＵ２０が読み込んで実行することにより、実現される処理である。また、この画像表示処理は、ユーザが、メニューボタンＢ１０とＯＫボタンＢ１２と移動ボタンＢ２０、Ｂ２２、Ｂ２４、Ｂ２６とを操作して、画像の表示をこの画像表示装置１０に指示することにより、起動される処理である。
【００２４】
この図３に示すように、画像表示装置１０は、まず、画像一覧画面を表示する（ステップＳ１０）。図４は、本実施形態に係る表示画面３０に表示される画像一覧画面Ｗ１０の一例を示す図である。この図４に示すように、画像一覧画面Ｗ１０には、ユーザが指定したホルダにある画像データの一覧が表示される。どのホルダにある画像データの一覧を表示するのかは、ユーザが任意に指定可能である。また、本実施形態においては、画像データは、ハードディスクドライブ２６又はメモリカード５０に格納されている。
【００２５】
次に、図３に示すように、画像表示装置１０は、ユーザが表示画像を選択したかどうかを判断する（ステップＳ１２）。具体的には、図４に示した画像一覧画面Ｗ１０において、ユーザは、移動ボタンＢ２０、Ｂ２２、Ｂ２４、Ｂ２６を操作して、全画面表示をしたいと考えている画像にカーソルＣＲ１０を移動し、ＯＫボタンＢ１２を押下することにより指定する。このため、画像表示装置１０は、ユーザが、この指定を行ったかどうかを判断する。
【００２６】
ユーザが表示画像の指定を行っていないと判断した場合（ステップＳ１２：ＮＯ）には、画像表示装置１０は、このステップＳ１２の処理を繰り返して、待機する。
【００２７】
一方、ユーザが表示画像の指定を行ったと判断した場合（ステップＳ１２：ＹＥＳ）には、画像表示装置１０は、ユーザの指定した画像を表示画面３０に表示する（ステップＳ１４）。この画像表示の際、画像表示装置１０は、表示する画像に白トビや黒つぶれがある場合には、白トビや黒つぶれしている部分の画素を赤色で表示するなどの警告表示をするようにしてもよい。この警告表示をしなくとも、ユーザは画像を確認することにより、白トビや黒つぶれに気づくと考えられるが、警告表示をすることにより、ユーザが白トビや黒つぶれなどの不良領域の存在に気づきやすくなる利点がある。
【００２８】
また、本実施形態では、白トビがあるかどうかは各画素の輝度が所定の値以上であるかどうかにより判断し、黒つぶれがあるかどうかは各画素の輝度が所定の値以下であるかどうかにより判断する。例えば、輝度が０〜２５５の値で表現される場合では、輝度が２５４以上の画素については白トビであると判断し、輝度が１以下の画素については黒つぶれであると判断する。
【００２９】
次に、画像表示装置１０は、ヒストグラム表示をするかどうかを判断する（ステップＳ１６）。ヒストグラム表示をするかどうかは、例えば、予めユーザが設定をするようにしてもよく、或いは、上側移動ボタンＢ２０や下側移動ボタンＢ２６を操作してその都度決定するようにしてもよい。
【００３０】
ヒストグラム表示をすると判断した場合（ステップＳ１６：ＹＥＳ）には、画像表示装置１０は画像データに基づいてヒストグラムを生成する（ステップＳ１７）。具体的には、画像表示装置１０は、各画素毎に輝度の値を取得し、この取得した輝度の値に基づいてヒストグラムを生成する。
【００３１】
次に、画像表示装置１０は、ヒストグラム表示により、画像の白トビや黒つぶれが隠れてしまうかどうかを判断する（ステップＳ１８）。具体的には、本実施形態ではヒストグラム表示の大きさと表示領域の座標が固定されているので、ステップＳ１４で表示した画像の白トビや黒つぶれの画素のある不良領域の座標と、ヒストグラム表示の画素の画像とが、重複するかどうかを判断する。
【００３２】
ヒストグラム表示により画像の白トビや黒つぶれが隠れることはないと判断した場合（ステップＳ１８：ＮＯ）には、画像表示装置１０は、ステップＳ１７で生成したヒストグラムを通常の状態で表示する（ステップＳ２０）。
【００３３】
図５は、通常の状態でヒストグラム表示を行った場合の表示画面３０の一例を示す図である。この図５に示すように、表示画面３０には全体的にユーザの選択した画像が表示され、その右下に画像に重ねてヒストグラム表示ＨＳが表示される。この図５では、ヒストグラム表示ＨＳと画像の白トビや黒つぶれの画素とが重なっていないので、ヒストグラム表示ＨＳは通常の表示態様である。また、ここでは、ヒストグラム表示ＨＳは、横軸が輝度であり、左端が輝度２５５であり右端が輝度０である。さらに、縦軸がその輝度に対応する画素数を示している。
【００３４】
一方、ステップＳ１８で、ヒストグラム表示により画像の白トビや黒つぶれが隠れてしまうと判断した場合（ステップＳ１８：ＹＥＳ）には、白トビや黒つぶれが隠れていることを示す警告状態で、ステップＳ１７で生成したヒストグラムを表示する（ステップＳ２２）。
【００３５】
図６は、警告状態でヒストグラム表示を行った場合の表示画面３０の一例を示す図である。この図６に示すように、表示画面の右下にはヒストグラム表示ＨＳが表示されるが、このヒストグラム表示ＨＳの表示態様が通常の状態と異なっている。例えば、ヒストグラム表示ＨＳの枠が赤色で表示されたり、ヒストグラム全体が赤色で表示されたたりする。すなわち、ヒストグラムの少なくとも一部の色を、通常状態のヒストグラムと異なるようにして、表示する。
【００３６】
或いは、ヒストグラム表示ＨＳの表示を所定の時間間隔（例えば１秒間隔）で点滅させてもよい。この場合、図６に示すヒストグラム表示ＨＳが表示されている表示画面３０と、図７に示に示すヒストグラム表示ＨＳが表示されていない表示画面３０とが、交互に表示される。このうち、図７からも分かるように、ヒストグラム表示ＨＳが表示されていない状態では、ヒストグラム表示ＨＳに隠れていた黒つぶれＢＯがユーザに見えるようになる。無論、ヒストグラム表示ＨＳで白トビが隠れていた場合には、白トビが見えるようになる。
【００３７】
換言すれば、ステップＳ２２においては、ステップＳ２０の通常状態のヒストグラム表示と異なる表示態様で、警告状態のヒストグラム表示を行う。
【００３８】
次に、図３に示すように、これらステップＳ２０、ステップＳ２２の後、又は、ステップＳ１６でヒストグラム表示をしないと判断した場合（ステップＳ１６：ＮＯ）には、画像表示装置１０は、ユーザが画像表示の表示終了を指示したかどうかを判断する（ステップＳ２４）。例えば、本実施形態では、表示画面３０に画像が表示されている状態で、ユーザがキャンセルボタンＢ１４を押下した場合には、画像表示を終了する指示が入力されたと判断する。
【００３９】
画像表示の終了が指示されていないと判断した場合（ステップＳ２４：ＮＯ）には、画像表示装置１０は、このステップＳ２４を繰り返して待機する。このこの待機している状態で、ユーザがヒストグラム表示の表示と非表示を任意に切り替えられるようにしてもよい。ユーザがヒストグラム表示の表示と非表示を切り替えた場合には、上述したステップＳ１６からステップＳ２２の処理を再度実行すればよい。
【００４０】
一方、画像表示の終了が指示されたと判断した場合（ステップＳ２４：ＹＥＳ）には、上述したステップＳ１０に戻り、画像一覧画面Ｗ１０を表示する処理からを繰り返す。また、本実施形態では、表示画面３０に画像一覧画面Ｗ１０が表示されている状態で、ユーザがキャンセルボタンＢ１４を押下した場合には、この画像表示処理が終了する。
【００４１】
以上のように、本実施形態に係る画像表示装置１０によれば、ヒストグラム表示により画像の白トビや黒つぶれが隠れてしまう場合には、警告状態でヒストグラム表示ＨＳを表示することとした。このため、ユーザは、この警告状態のヒストグラム表示ＨＳを見ることにより、このヒストグラム表示ＨＳの後ろに、画像の白トビか黒つぶれの不良領域が隠れていることを容易に知ることができる。
【００４２】
また、警告状態の場合にヒストグラム表示ＨＳ自体を点滅させる表示態様では、ヒストグラム表示ＨＳが非表示の間、白トビや黒つぶれの画像を表示画面３０に表示させることができるので、ユーザは具体的に画像にどのような白トビや黒つぶれが発生しているのかも知ることができる。
【００４３】
〔第２実施形態〕
本発明の第２実施形態は、上述した第１実施形態を変形して、警告状態のヒストグラム表示ＨＳが表示されている状態で、画像のシフトをユーザが画像表示装置１０に指示した場合には、表示画面３０に表示されている画像表示の白トビや黒つぶれがヒストグラム表示ＨＳに隠れないように画像をシフトするようにしたものである。以下、上述した第１実施形態と異なる部分を説明する。
【００４４】
図８は、本実施形態に係る画像表示処理の内容を説明するフローチャートを示す図であり、上述した第１実施形態における図３に対応する図である。この図８に示すように、上述した第１実施形態において、ヒストグラム表示により白トビや黒つぶれが隠れると判断した場合（ステップＳ１８：ＹＥＳ）には、ステップＳ１００からステップＳ１０８を実行する。
【００４５】
すなわち、ステップＳ１８で、ヒストグラム表示により画像の白トビや黒つぶれが隠れてしまうと判断した場合（ステップＳ１８：ＹＥＳ）には、画像表示装置１０は、警告状態で表示画面３０にヒストグラム表示を行う（ステップＳ１００）。図９は、本実施形態における警告状態のヒストグラム表示ＨＳを行った表示画面３０の一例を示す図である。
【００４６】
この図９に示すように、表示画面には、警告状態のヒストグラム表示ＨＳに加えて、画像シフト表示ＩＭＳが表示される。本実施形態では、画像シフトの指示が左側移動ボタンＢ２２であるので、この左側移動ボタンＢ２２をユーザに想起させるような態様の画像シフト表示ＩＭＳを表示する。
【００４７】
次に、画像表示装置１０は、ユーザが画像シフトの指示をしたかどうかを判断する（ステップＳ１０２）。具体的には、本実施形態においては、画像表示装置１０は、ユーザが左側移動ボタンＢ２２を押下したかどうかを判断する。
【００４８】
ユーザが画像シフトの指示をしたと判断した場合（ステップＳ１０２：ＹＥＳ）には、画像表示装置１０は、表示画面３０に表示している画像を左方向に向かってシフトする（ステップＳ１０４）。すなわち、表示している画像の白トビや黒つぶれと、ヒストグラム表示ＨＳとが重ならないように、画像をシフトする。両者が重ならないように画像をシフトする方向は任意であるが、本実施形態では、図１０に示すように、左方向に画像をシフトすることとしている。また、画像をシフトする量は、画像の白トビや黒つぶれがヒストグラム表示ＨＳに隠れないようにするだけの量をシフトするようにしてもよいし、ヒストグラム表示ＨＳの幅や高さだけ画像をシフトするようにしてもよい。ヒストグラム表示ＨＳの幅と同じだけ画像を左方向にシフトすれば、画像とヒストグラム表示ＨＳとが重なる部分はなくなるので、画像の白トビや黒つぶれを、ユーザは確認できるようになる。同様に、ヒストグラム表示ＨＳの高さと同じだけ画像を上方向にシフトすれば、画像とヒストグラム表示ＨＳとが重なる部分はなくなるので、画像の白トビや黒つぶれを、ユーザは確認できるようになる。
【００４９】
次に、画像表示装置１０は、ユーザが画像表示の表示終了を指示したかどうかを判断する（ステップＳ１０６）。この処理自体は、ステップＳ２４と同様であるが、ユーザが画像表示の表示終了を指示していないと判断した場合（ステップＳ１０６：ＮＯ）には、上述したステップＳ１０２からを繰り返す。
【００５０】
一方、ユーザが画像表示の終了を指示したと判断した場合（ステップＳ１０６：ＹＥＳ）には、ステップＳ２４と同様に、ステップＳ１０に戻る。
【００５１】
以上のように、本実施形態に係る画像表示装置１０によれば、ヒストグラム表示ＨＳにより画像の白トビや黒つぶれが隠れてしまっている場合に、ユーザが画像のシフトを指示した場合には、ヒストグラム表示ＨＳと白トビや黒つぶれが重ならないように画像をシフトすることとしたので、ユーザは隠れていた画像の白トビや黒つぶれの状態を容易に観察できるようになる。
【００５２】
なお、本発明は上記実施形態に限定されず種々に変形可能である。例えば、上述した実施形態では、ヒストグラムを生成する画像の表現要素として輝度を用いたが、他の表現要素を用いてヒストグラムを生成し表示するようにしてもよい。
【００５３】
また、不良領域であるかどうかも、上記実施形態では、輝度に基づいて判断することとしたが、他の表現要素に基づいて画像の不良領域を判断し、特定するようにしてもよい。
【００５４】
また、上述の実施形態で説明した画像表示処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを画像表示装置１０に読み込ませ、実行させることにより、上述した実施形態を実現することができる。
【００５５】
また、画像表示装置１０は、オペレーティングシステムや別のアプリケーションプログラム等の他のプログラムを備える場合がある。この場合、画像表示装置１０の備える他のプログラムを活用するために、その画像表示装置１０が備えるプログラムの中から、上述した実施形態と同等の処理を実現するプログラムを呼び出すような命令を含むプログラムを、記録媒体に記録するようにしてもよい。
【００５６】
さらに、このような画像表示装置１０は、記録媒体の形ではなく、ネットワークを通じて搬送波として頒布することも可能である。ネットワーク上を搬送波の形で伝送されたプログラムは、画像表示装置１０に取り込まれて、このプログラムを実行することにより上述した実施形態を実現することができる。
【００５７】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ画像表示装置１０は、そのプログラムの復号や伸張を行った上で、実行する必要がある。
【００５８】
また、上述した実施形態では、画像表示処理をソフトウェアにより実現することとしたが、これを、ＡＳＩＣ（Application Specific IC）などのハードウェアにより実現することもできる。
【図面の簡単な説明】
【００５９】
【図１】第１実施形態及び第２実施形態に係る画像表示装置の主要な内部構成の一例を説明するブロック図。
【図２】図１の画像表示装置を表示画面側から見た平面図。
【図３】第１実施形態に係る画像表示装置が実行する画像表示処理の内容を説明するフローチャートを示す図。
【図４】表示画面に表示された画像一覧画面の一例を示す図。
【図５】画像に重ねて通常状態のヒストグラムが表示された表示画面の一例を示す図。
【図６】画像に重ねて警告状態のヒストグラムが表示された表示画面の一例を示す図。
【図７】図５において、警告状態のヒストグラムを点滅表示にした場合に、ヒストグラムが表示されていない間における表示画面の一例を示す図。
【図８】第２実施形態に係る画像表示装置が実行する画像表示処理の内容を説明するフローチャートを示す図。
【図９】第２実施形態において、画像に重ねて警告状態のヒストグラムが表示された表示画面の一例を示す図（画像シフト前）。
【図１０】第２実施形態において、画像に重ねて警告状態のヒストグラムが表示された表示画面の一例を示す図（画像シフト後）。
【符号の説明】
【００６０】
１０  画像表示装置
２０  ＣＰＵ
２２  ＲＡＭ
２４  ＲＯＭ
２６  ハードディスクドライブ
２８  メモリカードインターフェース
３０  表示画面
４０  内部バス
５０  メモリカード
【図１】
2007240860.tif 000003
【図２】
2007240860.tif 000004
【図３】
2007240860.tif 000005
【図４】
2007240860.tif 000006
【図５】
2007240860.tif 000007
【図６】
2007240860.tif 000008
【図７】
2007240860.tif 000009
【図８】
2007240860.tif 000010
【図９】
2007240860.tif 000011
【図１０】
2007240860.tif 000012